(57)【要約】【課題】  従来のルーフィングでは、該ルーフィングが露出状態で強風を伴う降雨があったときに、雨水が風で吹き上げられてルーフィング上を遡上し、その遡上雨水の一部が上下ルーフィングの重合部の隙間を通って野地板上に漏れ出すことがあった。【解決手段】  防水性を有するシート基材２の上面側となる表面に、敷設状態での屋根傾斜方向のシート全幅に亘る長さを有し且つ敷設状態での軒先方向に小間隔Ｌをもって多数本の小突条３，３・・を、相互に同形の蛇行状又はジグザグ状に屈曲させた状態で並設していることにより、ルーフィングが露出状態で強風を伴った降雨があっても、雨水流下通路４上を吹き上げられる雨水が小突条３の側壁面に衝突して、ルーフィング上を遡上する雨水の遡上スピードを急激に減衰させ得るようにしている。【選択図】      図２
2009084818.tif 000002
【特許請求の範囲】
【請求項１】
防水性を有するシート基材（２）における敷設状態で上面側となる表面に、敷設状態での屋根傾斜方向のシート全幅に亘る長さを有し且つ敷設状態での軒先方向に小間隔（Ｌ）をもって多数本の小突条（３，３・・）を設けているとともに、該各小突条（３，３・・）は、相互に同形の蛇行状又はジグザグ状に屈曲させた状態で並設していることを特徴とするルーフィング。
【請求項２】
請求項１において、前記各小突条（３，３・・）は、隣接する２本の小突条（３，３）における相互に対向する側に突出する各側の屈曲部（３３，３３）が敷設状態での屋根傾斜方向から見て敷設状態での軒先方向に所定範囲（Ｍ）だけ重合する状態で設けていることを特徴とするルーフィング。
【発明の詳細な説明】
【技術分野】
【０００１】
本願発明は、瓦葺き屋根の野地板に敷設されるルーフィングに関するものである。
【背景技術】
【０００２】
この種のルーフィングは、屋根の野地板上に敷設して、例えば瓦間の隙間からの雨水の吹き込みや瓦が割れたときなどに瓦の下面側に侵入した水が野地板側に漏れるのを防止するものである。
【０００３】
従来から汎用されているルーフィングは、防水性（一般にアスファルトを含浸させたもの）のあるシート基材製で表裏両面に凹凸のない平滑面状のものが一般的である。この種のルーフィングは、敷設状態での屋根傾斜方向の幅が１ｍ程度で敷設状態での軒先方向にかなりの長さを有している。そして、この種のルーフィングは、ロール状に巻回した状態で商品化されており、施工時には屋根野地板上で軒先方向に巻き解きながら敷設する。尚、以下の説明では、ルーフィングにおいて、敷設状態での屋根傾斜方向を上下方向といい、敷設状態での軒先方向を左右方向ということがある。
【０００４】
この平滑面状のルーフィングは、図６に示すように屋根の野地板１１上に敷設するが、ルーフィング１Ａ単体の上下幅は１ｍ程度であるので、屋根傾斜方向に順次ルーフィングの一部を重合させながら屋根野地板１１の全面に敷設する。上下のルーフィング１Ａ，１Ａの重合部５Ａは、下側ルーフィング１Ａの上端部の上に上側ルーフィング１Ａの下端部を寸法Ｄ（１０cm程度）の幅だけ重合させている。そして、平滑面状のルーフィング１Ａ，１Ａを使用した場合には、重合部５Ａは下側ルーフィング１Ａの上面と上側ルーフィング１Ａの下面とが重合部全面に亘って接触するようになる。このように各ルーフィング１Ａ，１Ａの上面と下面が接触していると、該重合部５Ａが下降傾斜しているものの該接触部分に水を上方移動させる毛管現象が働くことになる。
【０００５】
他方、近年では、図７に示すように、シート基材２Ｂの上面側となる表面に、上下方向の全幅に亘る長さで左右方向に所定間隔（例えば１５〜３０cm間隔）をもって多数本の直線状の小突条３Ｂ，３Ｂ・・を設けたルーフィング１Ｂが市販されている。この各小突条３Ｂ，３Ｂ・・の高さは３〜４mm程度である。又、この図７のルーフィング１Ｂでは、各小突条３Ｂ，３Ｂ・・間の平面部に滑り止め用の多数の小突起６，６・・が散点状態で設けられている。各小突条３Ｂ，３Ｂ・・間の平面部は、ルーフィング１Ｂ上に降雨があったときに雨水流下通路４Ｂとなるものである。尚、この図７に示すルーフィング１Ｂの類似品として、特開２００３−２６８９３５公報（特許文献１）に示されるものがある。
【０００６】
この図７のルーフィング１Ｂも、図８に示すように、下側ルーフィング１Ｂの上端部上に上側ルーフィング１Ｂの下端部を所定寸法Ｄ（１０cm程度）だけ重合（重合部５Ｂ）させた状態で順次屋根野地板１１の全面に敷設される。このように、シート基材２Ｂの上面に所定間隔をもって小突条３Ｂ，３Ｂ・・を設けたルーフィング１Ｂを使用した場合には、重合部５Ｂは図８に示すように上側ルーフィングのシート基材下面と下側ルーフィングのシート基材上面との間に小突条３Ｂの高さ（３〜４mm）だけ隙間が設けられることになる。
【０００７】
尚、野地板１１上に敷設したルーフィング１Ａ（図６）又は１Ｂ（図８）上には、瓦位置決め用の瓦桟１２，１２・・が固定（釘止め）され、その各瓦桟１２，１２・・に各瓦１３，１３・・を釘止めして瓦葺き屋根が完成される。
【０００８】
【特許文献１】特開２００３−２６８９３５公報
【発明の開示】
【発明が解決しようとする課題】
【０００９】
ところで、瓦屋根の工事は、図６又は図８に示すように屋根野地板１１上にルーフィング（１Ａ，１Ｂ）を敷いた後に瓦１３を葺くが、瓦１３を葺く前のルーフィング（１Ａ，１Ｂ）が露出した状態で降雨があると、該ルーフィング（１Ａ，１Ｂ）上を雨水（図６、図８の符号Ｗ1）が点線矢印で示すように流下する。又、その降雨時に矢印Ａで示すように強風がルーフィング上を吹き上げると、その風Ａにより雨水が符号Ｗ2で示すようにルーフィング上面を遡上して上下ルーフィングの重合部（５Ａ，５Ｂ）の下部側端縁（上側ルーフィングの下端縁）まで遡上するようになる。
【００１０】
そして、図６に示す平滑面状のルーフィング１Ａを使用したものでは、その重合部５Ａにおいて各ルーフィング１Ａ，１Ａの上面と下面が接触しているので、該重合部５Ａの下部側端縁（上側ルーフィングの下端縁）まで遡上してきた雨水Ｗ2が毛管現象によって重合部５Ａのルーフィング間を上方移動していき、その上方移動した雨水が下側ルーフィングの上端縁から野地板１１上に漏れ出し、延いては符号Ｗ3で示すように野地板下面側に滴下する（雨漏りが発生する）という問題が生じる。
【００１１】
又、図６に示す平滑面状のルーフィング１Ａを使用した瓦屋根では、ルーフィング１Ａ上に瓦桟１２が密着状態で取付けられているが、この場合は瓦１３の隙間等から雨水が侵入すると、ルーフィング１Ａ上を流下する雨水Ｗ1が点線矢印で示すように瓦桟１２部分で堰止められてしまい、その雨水Ｗ1で瓦桟１２が腐食し易くなるという問題もある。
【００１２】
他方、図７〜図８に示すようにシート基材２Ｂの上面に各小突条３Ｂ，３Ｂ・・を設けたルーフィング１Ｂを使用したものでは、その重合部５Ｂの両シート基材２Ｂ，２Ｂの上面と下面間に隙間があるので該重合部５Ｂで図６の場合のような毛管現象による雨水の上方移動作用は起こらないが、各小突条３Ｂ，３Ｂ・・が直線状であるので、強風Ａの吹き上げによる雨水の遡上スピードが速くなる。即ち、各小突条３Ｂ，３Ｂ間の雨水流下通路４Ｂには、多数の小突起６，６・・が散点状態で設けられていて、該各小突起６，６・・が少しは雨水の遡上抵抗になるものの、両小突条３Ｂ，３Ｂが雨水の遡上に対して何ら抵抗機能がなく、雨水が比較的簡単に且つ大量に重合部５Ｂの下部側端縁（上側ルーフィングの下端縁）まで達するようになる。そして、該重合部５Ｂの下部側端縁まで順次雨水が遡上してくると、強風の吹き上げにより重合部５Ｂの上下ルーフィング間の隙間内に押し込まれる水量が多くなり、該重合部５Ｂの隙間内に侵入した雨水が風Ａや後続の雨水Ｗ2で順次押し上げられて、下側ルーフィングの上端縁から野地板１１上に漏れ出すようになる。この場合も、延いては符号Ｗ3で示すように野地板下面側に滴下する（雨漏りが発生する）という問題が生じる。
【００１３】
そこで、本願発明は、図６のルーフィングや図７〜図８（特許文献１）のルーフィングにおける上記各問題点を改善するためになされたものであって、ルーフィング上に降った雨水が強風により該ルーフィング上を遡上しにくくなる（延いては雨水がルーフィングの重合部から屋根野地板上に漏れ出すのを防止する）ようにすることを目的としている。
【課題を解決するための手段】
【００１４】
本願発明は、上記課題を解決するための手段として次の構成を有している。尚、本願発明は、屋根の野地板上に敷設されるルーフィングを対象にしている。
【００１５】
［本願請求項１の発明］
本願請求項１の発明のルーフィングは、防水性を有するシート基材における敷設状態で上面側となる表面に、敷設状態での屋根傾斜方向のシート全幅に亘る長さを有し且つ敷設状態での軒先方向に小間隔をもって多数本の小突条を設けているとともに、該各小突条は、相互に同形の蛇行状又はジグザグ状に屈曲させた状態で並設していることを特徴としている。
【００１６】
尚、以下の説明では、ルーフィングにおいて、敷設状態での屋根傾斜方向を上下方向といい、敷設状態での軒先方向を左右方向ということがある。
【００１７】
本願請求項１の発明のルーフィングは、所定幅の帯状に形成されている。尚、この種のルーフィングは、上下幅（屋根傾斜方向側）が１ｍ程度のものが一般的であり、左右長さが１０〜２０ｍ程度のものをロール状に巻回したものが多い。
【００１８】
シート基材としては、防水性を有するものであれば汎用のもの（例えば通気性のあるシートにアスファルトを含浸させたものや、ゴム又は合成樹脂からなる遮水シート等）を使用できる。
【００１９】
シート基材に設けた各小突条は、シート基材製造時にシート基材と同材料で一体成形したものでもよく、あるいはシート基材に後付けで取付けたものでもよい。この各小突条は、例えば幅が２〜３mm程度で高さが３〜４mm程度のもので、シート基材の上下幅の全長に亘って設けられている。
【００２０】
この各小突条は、相互に同形の蛇行状又はジグザグ状に屈曲させたもので、平面視において左上り傾斜部と右上り傾斜部とを屈曲部で連続させた「く」形の形状を順次１列状態に連続させている。
【００２１】
そして、上記各小突条は、シート基材における敷設状態で上面側となる表面に、左右方向に例えば３０〜５０mm間隔（この間隔は特に限定するものではない）をもって順次並設して、本願のルーフィングを構成している。尚、シート基材表面に設けている各小突条間の平面部は、雨水が流下する通路となるものであるが、この雨水流下通路は、例えば３０〜５０mm弱の溝幅があるので、両側の各小突条が蛇行状又はジグザグ状であっても雨水の流下を阻害するものではない。
【００２２】
本願請求項１のルーフィングは、屋根傾斜方向に各ルーフィングの一部（１０cm幅程度）を重合させながら順次屋根野地板の全面に敷設する。その場合、各ルーフィングの重合部は、下側ルーフィングの上端部の上に上側ルーフィングの下端部を重ねるが、シート基材の上面には小突条が設けられているので、重合部における上側ルーフィングのシート基材下面と下側ルーフィングのシート基材上面との間には小突条の高さ分（３〜４mm程度）の隙間が形成される。尚、各ルーフィングは、ステップルで野地板上に固定される。
【００２３】
そして、そのルーフィングの上に瓦桟を取付け、各瓦桟に瓦を掛け止めて（釘打ちして）屋根工事を完成させるが、この屋根工事が完成するまでには数日を要し、瓦を葺く前のルーフィングが露出した状態で風雨に晒されることがある。このとき、通常は、ルーフィング上に降った雨は該ルーフィングの各雨水流下通路を自然流下するが、強風を伴うとルーフィング上に降った雨水が吹き上げられて該各雨水流下通路を遡上することがある。
【００２４】
ところで、本願のルーフィングでは、各雨水流下通路の両側にある各小突条がそれぞれ蛇行状又はジグザグ状となっている。そして、吹き上げ風によって雨水流下通路を遡上する雨水は、該雨水流下通路の両側にある各小突条の側壁面に衝突し、そのとき該雨水の遡上スピードが急激に減衰するようになる。従って、遡上してきた雨水が上下ルーフィングの重合部付近まで達しても、該雨水の遡上スピードは非常に遅いものとなり、該重合部の上下両シート間の隙間の下部付近に雨水（僅かな量）が侵入しても、その侵入雨水が風や後続の遡上雨水でそれ以上、上方に押し上げられることがない。
【００２５】
又、上下ルーフィングの重合部のシート間には小突条の高さの隙間があるので、該重合部（上下のシート基材間）で毛管現象が起こらず、雨水が該重合部付近まで達しても毛管現象による雨水の上方移動作用は発生しない。
【００２６】
従って、この請求項１の発明のルーフィングでは、該ルーフィングが露出した状態で強風を伴った降雨があっても、上下ルーフィングの重合部から雨水が野地板上に漏れ出すのを防止できる。
【００２７】
［本願請求項２の発明］
本願請求項２の発明は、上記請求項１のルーフィングにおいて、各小突条を、隣接する２本の小突条における相互に対向する側に突出する各側の屈曲部が敷設状態での屋根傾斜方向（上下方向）から見て敷設状態での軒先方向（左右方向）に所定範囲だけ重合する状態で設けたものである。
【００２８】
隣接する２本の小突条間には、上記したように雨水流下通路が形成されているが、この請求項２のように各小突条における相互に対向する側に突出する各側の屈曲部が上下方向から見て左右方向に重合するようにしていると、雨水が雨水流下通路幅のどの位置を遡上してきても、かならず左右何れかの小突条の側壁面に衝突するようになる（雨水の遡上スピードが確実に減衰する）。
【発明の効果】
【００２９】
本願請求項１の発明のルーフィングは、シート基材の上面となる表面に、蛇行状又はジグザグ状の小突条を所定小間隔をもって多数本設けているので、このルーフィングを屋根野地板上に露出状態で敷設している状態（瓦を葺く前の状態）で強風を伴った降雨があっても、その雨水が各小突条間の雨水流下通路を遡上するときに該遡上雨水が小突条の側壁面に衝突するようになる。従って、雨水流下通路を遡上する雨水の遡上スピードが急激に減衰し、雨水が上下ルーフィングの重合部のシート間の隙間を通って屋根野地板上に漏れ出すのを防止できるという効果がある。
【００３０】
又、上下ルーフィングの重合部には、その上下シート間に小突条の高さ分だけ隙間が形成されるので、該重合部において毛管現象による雨水の上方移動作用が起こらない（毛管現象による重合部からの雨水漏れ出しを防止できる）。
【００３１】
本願請求項２の発明では、請求項１のルーフィングにおいて、隣接する２本の小突条における相互に対向する側に突出する各側の屈曲部が上下方向から見て左右方向に所定範囲だけ重合する状態で設けているので、雨水が雨水流下通路幅のどの位置を遡上してきても、必ず左右何れかの小突条の側壁面に衝突するようになる。従って、この請求項２のルーフィングでは、屋根野地板上に露出状態で敷設している状態で強風を伴った降雨があっても、雨水の遡上スピードをより一層確実に減衰させることができ、雨水が上下ルーフィングの重合部のシート間の隙間を通って屋根野地板上に漏れ出すのを確実に防止できるという効果がある。
【実施例】
【００３２】
図１〜図５を参照して本願実施例のルーフィングを説明する。尚、このルーフィングは、図５に示すように屋根野地板１１上の全面に敷設されるものである。
【００３３】
この実施例のルーフィング１は、図１〜図３に示すように、防水性を有するシート基材２における敷設状態で上面側となる表面に、敷設状態での屋根傾斜方向のシート全幅に亘る長さを有し且つ敷設状態での軒先方向に小間隔をもって多数本の小突条３，３・・を設けているとともに、該各小突条３，３・・を相互に同形のジグザグ状（蛇行状でも可）に屈曲させた状態で並設して構成されている。
【００３４】
このルーフィング１は、上下幅が１ｍ程度で左右に適宜長さ（例えば５〜２０ｍ程度の範囲）の帯状に形成されている。
【００３５】
シート基材２は、防水性を有するものであれば汎用のものが使用できる。例えば、該シート基材２として、通気性のあるシートにアスファルトを含浸させたものや、ゴム又は合成樹脂からなる遮水シート等が使用できる。又、このシート基材２には、防水性と通気性を兼備したものも使用できる。このシート基材２の厚さは、材料強度の強弱によって適宜に設定できるが、例えば０.５〜２.０mmの範囲が適当である。
【００３６】
シート基材２の上面に設けた各小突条３，３・・は、シート基材製造時に該シート基材２と同材料で一体成形したものでも、シート基材２に後付けで取付けたものでもよい。この各小突条３，３・・は、例えば幅が２〜３mm程度で高さが３〜４mm程度のもので、シート基材２の上下幅の全長に亘って設けられている。尚、この小突条３の材料としては、ゴムや軟質合成樹脂のような弾性を有するものが好ましいが、弾性のない硬質材料製のものも使用できる。
【００３７】
各小突条３，３・・は、相互に同形のジグザグ状に屈曲させたもので、平面視において図２に示すように左上り傾斜部３１と右上り傾斜部３２とを屈曲部３３で連続させた「く」形の形状を順次１列状態に連続させたものである。
【００３８】
小突条３における左上り傾斜部３１及び右上り傾斜部３２の各傾斜角ａ（図２）は、この実施例では左右方向線に対してそれぞれ４５°に設定している。尚、この各傾斜部３１，３２の傾斜角は、例えば３０°〜６０°程度の範囲で適宜に設定できる。
【００３９】
各小突条３，３・・の左上り傾斜部３１及び右上り傾斜部３２は、この実施例では、図１に示すようにシート基材２の上下幅（１ｍ）を２９等分した長さ（シート基材上下方向長さ範囲が約３５mm）に設定している。
【００４０】
そして、各小突条３，３・・は、シート基材２の上面側となる表面に、左右方向に所定小間隔Ｌ（図２）をもって順次並設している。尚、各小突条３，３・・間の間隔Ｌは、とくに限定するものではないが、この実施例では約４３mmに設定している。
【００４１】
各小突条３，３・・間の平面部は、それぞれ雨水が流下する雨水流下通路４，４・・となるものであるが、この各雨水流下通路４，４・・はかなりの幅（約４０mm）があるので、両側の各小突条３，３がジグザグ状であっても雨水の流下を阻害するものではない。
【００４２】
又、各小突条３，３・・は、図２及び図３に示すように隣接する２本の小突条３，３における相互に対向する側に突出する各側の屈曲部３３，３３が上下方向から見て左右方向に所定範囲Ｍだけ重合する状態で設けている。尚、この重合範囲Ｍは、特に限定するものではないが、この実施例では約１mmに設定している。
【００４３】
そして、この実施例のルーフィング１は、図５に示すように屋根野地板１１上に敷設されるが、各ルーフィング１の上下幅が１ｍ程度であるので、該ルーフィング１を屋根野地板１１の全面に敷設するには複数枚のルーフィング１，１を屋根傾斜方向に一部（約１０cm）を重合（重合部５）させながら敷設する。その場合、各ルーフィング１，１の重合部５は、図５に示すように下側ルーフィング１の上端部の上に上側ルーフィング１の下端部を重ねるが、そのとき図４に示すように重合部５における上下の小突条３，３・・が相互に相手側の雨水流下通路４，４・・内に位置するように重合させるとよい。このように重合させると、図４に示すように上下ルーフィング１，１の重合部５において上下各側の小突条３，３・・がそれぞれ相手側の雨水流下通路４，４・・に対応する位置にあり、該重合部５の位置に瓦桟１２が載せられる（釘打ちされる）ときには、その押圧力によって該重合部５における上側ルーフィングのシート基材２部分が下側ルーフィングの各小突条３，３・・間（雨水流下通路４）の下方に撓ませられて、該重合部５におけるルーフィング厚さ（下側ルーフィングのシート基材２下面から上側ルーフィングの小突条３上端面までの高さ）を小さくできる。尚、ルーフィング１を左右方向（軒先方向）に継ぎ足す場合も、左右のルーフィング１，１の各側縁部を１０cm程度だけ重合させる。
【００４４】
上下のルーフィング１，１の一部（符号Ｄの範囲）を重合させて敷設した状態では、下側ルーフィング１のシート基材２の表面（上面）に小突条３，３・・が設けられているので、重合部５における上側ルーフィング１のシート基材下面と下側ルーフィング１のシート基材上面との間には小突条３の高さ分（３〜４mm程度）の隙間が形成される。尚、各ルーフィング１，１・・は、敷設後にステップルで野地板１１上に固定される。
【００４５】
そして、図５に示すように、そのルーフィング１，１の上に瓦桟１２，１２・・を取付け、各瓦桟１２，１２・・に瓦１３，１３・・を掛け止めて（釘打ちして）屋根工事を完成させるが、この屋根工事が完成するまでには数日を要し、瓦１３を葺く前のルーフィング１，１・・が露出した状態で風雨に晒されることがある。このとき、通常は、ルーフィング１，１・・上に降った雨水Ｗ1は点線矢印で示すようにルーフィング１の各雨水流下通路４，４・・を自然流下し、各瓦桟１２，１２・・の下面を潜って、順次軒先から落下する。
【００４６】
他方、降雨時に強風を伴うと、ルーフィング１上に降った雨水（符号Ｗ2）が強風Ａで吹き上げられて該各雨水流下通路４，４・・を遡上することがある。
【００４７】
ところで、この実施例のルーフィング１では、各雨水流下通路４，４・・の両側にある各小突条３，３・・がそれぞれジグザグ状に形成されているので、各雨水流下通路４，４・・もジグザグ形状となっている。そして、吹き上げ風Ａによって雨水流下通路４を遡上する雨水Ｗ2は、該雨水流下通路４の両側にある各小突条３，３の側壁面に衝突して、そのとき該雨水Ｗ2の遡上スピードが急激に減衰するようになる。特に、この実施例では、隣接する２本の小突条３，３における相互に対向する側に突出する各側の屈曲部３３，３３が上下方向から見て左右方向に所定範囲Ｍ（図２）だけ重合する状態で設けているので、雨水Ｗ2が雨水流下通路４の幅のどの位置を遡上してきても、必ず左右何れかの小突条３，３の側壁面に衝突し、雨水Ｗ2の遡上スピードをより一層確実に減衰させることができる。
【００４８】
従って、雨水流下通路４を遡上してきた雨水Ｗ2が上下ルーフィング１，１の重合部５付近まで達しても、該雨水の遡上スピードは非常に遅いものとなり、該重合部５の上下両シート基材２，２間の隙間の下部付近に雨水（僅かな量）が侵入しても、その侵入雨水が風Ａや後続の遡上雨水でそれ以上、上方に押し上げられることがない。
【００４９】
又、上下ルーフィング１，１の重合部５のシート基材２，２間には小突条３の高さの隙間があるので、該重合部５（上下のシート基材２，２間）で毛管現象が起こらず、雨水が該重合部付近まで達しても毛管現象による雨水の上方移動作用は発生しない。
【００５０】
このように、本願実施例のルーフィング１では、屋根野地板１１上に露出状態で敷設している状態で強風を伴った降雨があっても、雨水が上下ルーフィング１，１の重合部５の両シート基材２，２間を通って野地板１１上に漏れ出すのを確実に防止できる（雨漏りが起こらない）。
【図面の簡単な説明】
【００５１】
【図１】本願実施例のルーフィングの平面図である。
【図２】図１のルーフィングの一部拡大図である。
【図３】図２のIII−III断面図である。
【図４】図１のルーフィングの一部を上下に重合させた状態の平面図である。
【図５】図１のルーフィングの使用した屋根構造の断面図である。
【図６】従来の一般的なルーフィングを使用した屋根構造の断面図である。
【図７】公知（特許文献１）のルーフィングの説明図である。
【図８】図７のルーフィングを使用した屋根構造の断面図である。
【符号の説明】
【００５２】
１はルーフィング、２はシート基材、３は小突条、４は雨水流下通路、５は重合部、３１は左上り傾斜部、３２は右上り傾斜部、３３は屈曲部である。
【図１】
2009084818.tif 000003
【図２】
2009084818.tif 000004
【図３】
2009084818.tif 000005
【図４】
2009084818.tif 000006
【図５】
2009084818.tif 000007
【図６】
2009084818.tif 000008
【図７】
2009084818.tif 000009
【図８】
2009084818.tif 000010